(57)【要約】【課題】  駐輪錠で、有形の鍵を使用せずに、開錠を遠隔から行うことができ、鍵暗号の桁数も大きく設定できるロック解除システムを提供すること。【解決手段】  携帯電話３０から送信された識別ＩＤ及び制御データ信号を受信するＩＣタグ１１と、このＩＣタグにより受信された前記識別ＩＤが自己の識別ＩＤに合致するとき前記制御データ信号を処理し解読する信号処理部１２と、この信号処理部により解読された前記制御データ信号から開錠のための制御信号を出力する制御部１３と、この制御部から出力された前記制御信号を受けて、二輪車４０の車輪４１あるいはハンドルの回転を阻止する施錠具２４によるロックをはずす開錠手段２１とを前記二輪車に有してなることを特徴とする二輪車のロック開錠システム。【選択図】  図１
2006016845.tif 000002
【特許請求の範囲】
【請求項１】
携帯電話から送信された識別ＩＤ及び制御データ信号を受信するＩＣタグと、
このＩＣタグにより受信された前記識別ＩＤが自己の識別ＩＤに合致するとき前記制御データ信号を処理し解読する信号処理部と、
この信号処理部により解読された前記制御データ信号から開錠のための制御信号を出力する制御部と、
この制御部から出力された前記制御信号を受けて、二輪車の車輪あるいはハンドルの回転を阻止する施錠具によるロックをはずす開錠手段とを、
前記二輪車に有してなることを特徴とする二輪車のロック開錠システム。
【請求項２】
制御信号は複数であり、制御信号の１つは、発光手段を点灯する発光制御信号、または音響報知手段を鳴らす鳴動制御信号であることを特徴とする請求項１記載の二輪車のロック開錠システム。
【請求項３】
前記ＩＣタグ、前記信号処理部、及び前記制御部を、前記二輪車のハンドルと前輪支持部とを連結するハンドルポスト部内に具備したことを特徴とする請求項１記載の二輪車のロック開錠システム。
【請求項４】
前記ＩＣタグ、前記信号処理部、前記制御部、及び電源部を、個別のボックスユニット内部に装填されて、前記二輪車にこのボックスユニットを具備したことを特徴とする請求項１記載の二輪車のロック開錠システム。
【請求項５】
前記開錠手段は、前記車輪の隣り合うスポークの間を通過して回転を拘束する棒状あるいはワイヤ状の施錠具が、前記制御信号を受けた電磁スイッチの作動部により引き抜かれて施錠前の状態に戻って、前記車輪の拘束が開放される車輪拘束型であることを特徴とする請求項１記載の二輪車のロック開錠システム。
【請求項６】
前記開錠手段は、二輪車の操作ハンドル軸の回転を拘束する拘束具が、前記制御信号を受けた電磁スイッチ作動部により施錠前の状態に戻って、前記操作ハンドル軸の拘束が開放されるハンドル拘束型であることを特徴とする請求項１記載の二輪車のロック開錠システム。
【発明の詳細な説明】
【技術分野】
【０００１】
本発明は、自転車など二輪車の盗難防止のための施錠を、ＩＣタグを用いて開錠する開錠システムに関する。
【背景技術】
【０００２】
通勤や買い物などの近距離の移動に、燃料コストが不用で、駐輪にさほどの場所を要しないことから、自転車を用いることが多くなっており、手軽な移動手段として自転車が利用される。また、従来の移動、運搬の実用を目的とする実用自転車の他に、変速機を装備した快走仕様の自転車、軽量の競技用自転車、さらには電動モータを搭載した電動アシスト自転車など、種々の用途やデザインを異にする自転車が市中を行き来している。しかしながら、多数の自転車が市中に投入されるので、これらを駐輪中に、盗難や、悪戯の無断使用で乗り逃げなどの犯罪が多数発生していることが社会問題となっている。
【０００３】
盗難防止や無断使用防止の対策として、自転車に施錠することが一般的に行なわれている。この自転車などの所謂二輪車の施錠方法は、前後の車輪の何れか、あるいは両輪を拘束して、車輪が回転しないように施錠する方法が採られ、開錠には鍵が使用される形態のものが比較的多い。一方、鍵を使用しない３〜４桁の数字の組み合せによる回転ダイヤル式の錠による施錠も一部では使用されている。
【０００４】
また、盗難などを未然に防止するものでは無いが、通行中や、駐輪される二輪車が、盗難などによる不法な使用がされているものであるか否かを、二輪車に取り付けられたＩＣタグの識別ＩＤなどの情報を読み出して、その二輪車に関するデータを照会する（特許文献１参照。）、あるいはゲートを通過するときに警報を発する（特許文献２参照。）ことも知られている。
【特許文献１】特開２００３−３０６１８６号公報
【特許文献２】特開２００３−１７３４６１号公報
【発明の開示】
【発明が解決しようとする課題】
【０００５】
上に述べたように、二輪車に取り付けられた車輪の回転を拘束する従来の施錠方法の開錠には、鍵を使用するが、この鍵は多くは金属製であり嵩張る。また、同形状の他の鍵、例えば住宅の玄関錠、ロッカー錠、自動車セル錠などの鍵と共に携帯所持するので、その重量も嵩む。さらに、この鍵を紛失する場合も有り、携行あるいは保管の何れにおいても、有形の鍵を使用する錠前には多くの問題があった。
【０００６】
一方、鍵を使用しない回転ダイヤル式の開錠は、一般的には３桁または４桁であり、その組み合せは最大１，０００あるいは１０，０００通りとなり、不可能な試行の回数ではないので、悪戯の無断使用の被害を受けることが多く、施錠方法として信頼性が低いことが大きな問題点として挙げられていた。
【０００７】
この発明は上記の問題点に鑑みてなされたもので、携行や保管で問題となる有形の鍵を使用せずに、二輪車に多く使用される車輪あるいはハンドルの回転の拘束をする施錠方式の開錠を遠隔から行うことができ、鍵暗号の桁数も比較的大きく設定できる二輪車のロック開錠システムを提供することを目的とする。
【課題を解決するための手段】
【０００８】
上記の目的を達成するために、本発明の二輪車のロック開錠システムは、携帯電話から送信された識別ＩＤ及び制御データ信号を受信するＩＣタグと、このＩＣタグにより受信された前記識別ＩＤが自己の識別ＩＤに合致するとき前記制御データ信号を処理し解読する信号処理部と、この信号処理部により解読された前記制御データ信号から開錠のための制御信号を出力する制御部と、この制御部から出力された前記制御信号を受けて、二輪車の車輪あるいはハンドルの回転を阻止する施錠具によるロックをはずす開錠手段とを前記二輪車に有してなることを特徴とするものである。
【０００９】
さらに、上記ロック開錠システムにおいては、制御信号は複数であり、制御信号の１つは、発光手段を点灯する発光制御信号、または音響報知手段を鳴らす鳴動制御信号であることを特徴とするものである。
【００１０】
さらに、上記ロック開錠システムにおいては、前記ＩＣタグ、前記信号処理部、及び前記制御部を、前記二輪車のハンドルと前輪支持部とを連結するハンドルポスト部内に具備したことを特徴とするものである。
【００１１】
さらに、上記ロック開錠システムにおいては、前記ＩＣタグ、前記信号処理部、前記制御部、及び電源部を、個別のボックスユニット内部に装填されて、前記二輪車にこのボックスユニットを具備したことを特徴とするものである。
【００１２】
さらに、上記ロック開錠システムにおいては、前記開錠手段は、前記車輪の隣り合うスポークの間を通過して回転を拘束する棒状あるいはワイヤ状の施錠具が、前記制御信号を受けた電磁スイッチの作動部により引き抜かれて施錠前の状態に戻って、前記車輪の拘束が開放される車輪拘束型であることを特徴とするものである。
【００１３】
さらに、上記ロック開錠システムにおいては、前記開錠手段は、二輪車の操作ハンドル軸の回転を拘束する拘束具が、前記制御信号を受けた電磁スイッチ作動部により施錠前の状態に戻って、前記操作ハンドル軸の拘束が開放されるハンドル拘束型であることを特徴とするものである。
【発明の効果】
【００１４】
本発明の二輪車のロック開錠システムは、携帯電話から送信されたＩＣタグの識別ＩＤ及び制御データ信号により、離れた位置から対象の二輪車の施錠を開錠することができる。また、発光手段あるいは鳴動手段を制御データ信号の設定により作動させて、感知表示を行なうことができる。
【発明を実施するための最良の形態】
【００１５】
以下、本発明の実施形態を図面により詳細に説明する。
【００１６】
図１は、本発明の第１の実施形態を示す構成図である。図１に示すように、ロック開錠鍵システム１０は、携帯電話３０から所定の数字列で発信された電波を識別感知するＩＣタグ１１、ＩＣタグ１１からの感知信号を処理する信号処理部１２、信号処理部１２で弁別された制御情報を車輪ロック部２１や感知表示器１４などの被制御機器に対する制御信号に変換する制御部１３、変換された制御信号の開錠信号で開錠する車輪ロック部２１、他の被制御機器である例えば発光ダイオードによる感知表示器１４、およびこれ等に電力供給をする電源部により構成される。
【００１７】
また、車輪ロック部２１は、手動で施錠押し棒２３を押し込んで二輪車４０の車輪４１の回転を拘束して施錠が行なわれ、制御部１３から出力される開錠信号２８ａにより電磁スイッチ２２が作動し、開錠される形態の車輪回転阻止型錠である。この車輪ロック部２１は、図１に示すように、例えば、開錠信号２８ａで作動する電磁スイッチ２２にスイッチ爪部２７を具備し、施錠時に手動で押し込む施錠押し棒２３にアーム爪２６を有するロックアーム２４が連結されて、この連結体を押し戻すスプリング２５を具備した構成である。
【００１８】
次に、図２に示す開錠のフロー図を用いて、本実施形態の作用、動作を説明する。
【００１９】
先ず、本実施形態のロック開錠システムを装備している自転車４０の施錠は、自転車４０の車輪４１の横に装備してある車輪ロック部２１の施錠押し棒２３を、使用者がスプリング２５に抗して押し込む。施錠押し棒２３に連結しているロックアーム２４の先端部が、車輪４１のスポーク４２ａ、４２ｂの間に入る位置まで押し込まれると、アーム爪２６がスイッチ爪２７を通過してこれに引っ掛かり、スプリング２５の収縮力が作用している状態で、ロックアーム２４がその位置で留まり、車輪４１はスポーク間隔以上の回転が規制され、施錠が完了する。
【００２０】
本実施形態の開錠は、図２に示すように先ずステップＳ２１で、施錠をした自転車４０の駐輪場附近まで来ると、使用者が、例えば電話番号として通常割り当てられている０から始まる１１桁または１０桁の数字列以外で、６桁〜１０桁の数字列で構成されるＩＣタグ１１の識別ＩＤ、および制御情報を、携帯電話３０でダイヤルする。なお、この識別ＩＤは、個々のロック開錠システムのＩＣタグに対し固有の数列が設定されており、開錠する鍵番号である。また、この鍵番号は、携帯電話の電話帳などのダイヤル番号記憶機能に電話番号と同様に記憶させて、開錠する時に呼び出しても良い。これにより、ステップＳ２２で、携帯電話３０から識別ＩＤと制御情報の数字列が、電話呼信号として電波で発信される。
【００２１】
携帯電話から発信された電波を受信したＩＣタグ１１が、ステップＳ２３で、ＩＣタグ１１の識別機能で、受信された数字列の識別ＩＤが自身の識別ＩＤの数字列と同じであるかを識別、判定する。一致した場合には、ステップＳ２４で、ＩＣタグ１１は「識別した」ことを示す信号を出力する。さらに、ステップＳ２５で、信号処理部１２が同じく受信した制御に対する次段への制御指示を解析して、解析結果の制御指示信号をステップＳ２６で出力する。
【００２２】
出力された制御指示信号は、ステップＳ２７で、制御対象に対応した電気信号の制御信号へ変換、変調されて、制御部１３がステップＳ２８の開錠信号２８ａと感知信号２８ｂを出力する。
【００２３】
この開錠信号２８ａは、ステップＳ２９で、施錠状態の車輪ロック部２１の電磁スイッチ２２へ入力される。これにより、電磁スイッチ２２が作動し、ステップＳ３０で、車輪ロック部２１のスイッチ爪２７が引き下げられて、アーム爪２６を開放する。このアーム爪２６の開放により施錠時に押し込まれて圧縮しているスプリング２５が、ロックアーム２４をスポーク４２ａ、４２ｂの間から抜ける方向に引き戻し、車輪４１の回転の拘束が開放され、車輪ロック部２１が開錠される。
【００２４】
また、制御部１３から出力されたもう１つ感知信号２８ｂは、ステップＳ３１で、例えば発光ダイオードなどを所定の時間点灯して、携帯電話３０から送信した識別ＩＤを識別するＩＣタグが搭載された自転車がその識別を完了したことをこの点灯で示す。この発光により、ロック開錠システムの使用者に自車の位置を示すことができる。なお、この発光ダイオードに換えてブザーあるいは電子ベルなどのような報知音の鳴動手段を所定の時間作動させることも好適で、同様に使用者に開錠と位置を知らせることができる。
【００２５】
また、上記では、車輪ロック部２１が車輪の回転を拘束する方法で施錠される形態で説明しているが、この施錠が操作ハンドル軸の回転を拘束具が手動で差し込まれて拘束し、開錠では、上述の電磁スイッチの作動によりこの拘束具が抜去、開放され、拘束を解く形態のハンドルロックタイプの錠でも、同様の効果を得ることができる。
【００２６】
本実施形態によれば、所定の桁数の識別ＩＤである開錠鍵番号を携帯電話からダイヤルすると、遠隔から二輪車の施錠を開錠できる。また、従来の施錠器のように嵩張る有形の鍵を持ち歩く必要がない利点があり、さらに、従来の回転ダイヤル数字式の施錠器では、構造的に鍵番号の桁数を大きくすることが困難であるのに対し、本ロック開錠システムのシステム設定により、従来に比べて桁数を倍以上大きくすることができるので、識別ＩＤの解読が容易にできない安全な鍵となり、駐輪時の盗難や悪戯による無断使用などによるトラブルの防止ができる効果がある。
【００２７】
また、特有の有形の鍵を使用しないので、自転車を共用する使用者の間で所定の開錠鍵番号を共有して、それぞれが所持する携帯電話により共有自転車の開錠をそれぞれが行なうことができて、共有使用に従来必要であった合い鍵の製作あるいは所持が不要となる利点もある。
【００２８】
さらにまた、本実施形態では、携帯電話から送信する識別ＩＤに付加した制御情報に、開錠の制御情報と共に他の被制御機器に対する制御情報を追加して、開錠の制御以外に、例えば発光手段や鳴動手段を作動させて、自車の位置を遠隔からも判り易く認知できる表示を行うこともできる。
【００２９】
図３は、本発明の第２の実施形態を示す模式図である。図３（ａ）は、自転車４０に本実施形態を装備した状態を示す斜視模式図であり、同図（ｂ）は、自転車４０のハンドルポスト部４４に車輪ロック部５５以外の構成要素を収納した状態を示す模式断面図である。
【００３０】
本実施形態は、図３に示すように、車輪ロック部５５をバックホーク４６の後車輪リム４７付近に取り付け、ハンドルバー４３を支えるハンドルステム４３ａとフレーム前部のヘッドラッグ４５の間のハンドルポスト部４４の中空内部に、車輪ロック部５５以外のＩＣタグ５２、信号処理部５３、制御部５４、及び感知表示器５６の発光ダイオードからなる処理制御部５１を格納して、自転車４０に装備する。制御部５４から出力される開錠制御信号は、配線５９により車輪ロック部５５に接続されて、入力される。
【００３１】
なお、この処理制御部５１を格納するハンドルポスト部４４は、高分子強化プラスチックにより、内部にＩＣタグ５２、信号処理部５３、制御部５４、及び感知表示器５６を収納、モールドして、発光ダイオードの発光部分は外部に露出させて形成したものであっても良い。
【００３２】
この第２の実施形態の作用、動作は、先ず、車輪ロック部５５が手動により施錠される。次に、開錠しようとする自転車４０の使用者が、図２のフロー図に示すステップＳ２１の携帯電話から開錠鍵番号の識別ＩＤと制御情報の数字列をダイヤルする。その後は、図２に示すフロー図のステップに従って、開錠及び感知表示が行なわれる。
【００３３】
本実施形態では、処理制御部５１がハンドルポスト部４４の内部に、または一体にモールド形成して設置されるので、工場における自転車４０の製造時に、ロック開錠システムを装備する場合に適する利点がある。また、処理制御部５１がハンドルポスト部４４の内部に収納されて突出物が無いので、自転車の使用者や他の通行者に対して障害となることがなく、外観上はロック開錠システムの搭載を使用者や他者が感じることのない、当初の自転車自体のデザインを維持する開錠システムの装備できる効果もある。
【００３４】
図４は、本発明の第３の実施形態を示す模式図である。図４（ａ）は、本実施形態のボックスユニット６１を自転車４０のハンドルステム４３ａに取り付けた状態を示す模式斜視図であり、同図（ｂ）にハンドルステム４３ａに取り付けられたボックスユニット６１の正面からの模式断面図、及び同図（ｃ）に側方からの模式断面図をそれぞれ示す。
【００３５】
本実施形態は、ＩＣタグ６２、信号処理部６３、制御部６４、感知表示器６６、及び電池の電源部６８が、図４（ｂ）及び（ｃ）に示すように横に配列されてボックスユニット６１の内部に収納されて、制御部６４からの配線６９が、図４には省略した図３（ａ）に示したと同様の自転車４０の例えばバックホーク４６の後車輪リム４７付近に取り付けた車輪ロック部５５に接続される。
【００３６】
このボックスユニット６１の底部には、これを自転車４０のハンドルステム４３ａの上部に引き上げボルト４８により共締めする取り付け板体６５を備えている。また、感知表示器６６の発光ダーオードの発光部分が、ボックスユニット６１の正面あるいは上面に取り付けられる。
【００３７】
本実施形態の作用、動作は、先ず、前述の他の実施形態と同様に携帯電話から送信するＩＣタグ６２の識別ＩＤ及び制御情報の開錠鍵番号の電波により、図２のフロー図に示すステップＳ２１が行なわれる。その後、同図の各ステップが順次行われ、解錠信号が配線６９により車輪ロック部に入力され開錠が行なわれ、さらに感知信号がボックスユニット６１の正面あるいは上面の見良い位置に取り付けられた感知表示器６６の発光ダイオードを点灯する。
【００３８】
本実施形態では、既に使用している自転車の何れの場所にも、取り付け板体５２より簡単に装備することができる形態のロック開錠システムを提供できる。従って、本実施形態では、使用者が所望する感知表示器を認識し易い場所を自由に選択して、ボックスユニットを設置装備できる利点がある。例えば図４（ａ）で示したハンドルステムの上は高さがあり、視認には好適な設置装備とすることができる。
【００３９】
なお、上記車輪ロック部５５に車輪回転センサを取り付け、車輪の回転（走行）を読み取り走行中にはハンドルがロックされないように制御することも可能である。このようにすれば、他人が不意に信号を発信して誤動作することにより、ハンドルがロックされ走行不能になることなどを防止できる利点がある。
【００４０】
上述の第１乃至第３の実施形態では、ロックアームの先端部が車輪４１のスポーク４２ａ、４２ｂの間に直接入り、車輪４１の回転を拘束する車輪ロック部による本発明のロック開錠鍵システムを示したが、以下図５を用いて、車輪ロック部の他の実施例による第４の実施形態を説明する。
【００４１】
図５は、第４の実施形態における車輪ロック部であるワイヤ車輪ロック装置の構成を示す図であり、同図（ａ）は、矢印Ａの方向から見た背面断面を示し、同図（ｂ）は側面からの断面を模式的に図示したものである。
【００４２】
図１に示すロック開錠鍵システム１０の制御部１３から車輪ロック部２１に出力される配線が、本実施例を示す図５(ｂ)に示す配線７９であり、ワイヤ車輪ロック装置７１の電磁スイッチ７２に入力される。ワイヤ車輪ロック装置７１は、車軸を支えるホーク、例えば後輪のバックホーク４６に固定される。
【００４３】
ワイヤ車輪ロック装置７１による施錠は、開錠時には巻取り部７８に巻き取られているロックワイヤ７６を引き出して、施錠ノブ７３の反対側から後輪リムのスポーク４２ａ、４２ｂの間を通過させて、ロックワイヤ７６の先端部のロック環部７６ａが、施錠ノブ７３を備えるロックアーム７４の端部まで達するように位置させる。この位置で、施錠ノブ７３を移動して、このロック環部７６に回転するロックアーム７４の先端が入り込み、さらに電磁スイッチ７２のロック爪７７がロックアーム７４のロック溝７４ａに嵌まり込む位置まで施錠ノブ７３を操作する。これにより、ロックアーム７４はバネ７５により引き戻し力が作用しても、ロック爪７７にロック溝７４ａが引っ掛り元の位置へ戻れないので、スポーク間をロックワイヤ７６が通過して、車輪の回転を拘束する施錠がなされる。
【００４４】
開錠は、図１に示すように、携帯電話３０から開錠番号をダイヤルすると、携帯電話から発信された開錠番号を、本発明のロック開錠鍵システムのＩＣタグ１１が識別、感知する。これによりＩＣタグ１１からの出力信号が、信号処理部１２、制御部１３を経て、開錠信号２８ａとなって、図５に示す配線７９に出力される。
【００４５】
この開錠信号２８ａは、ワイヤ車輪ロック装置７１の電磁スイッチ７２に入力されて、ロック爪７７が作動し、ロック溝７４ａから外れる。これにより、ロックアーム７４はバネ７５により引き戻されるので、ロックアーム７４の先端部が貫通していたロックワイヤ７６の先端部のロック環部７６ａも解放されて、ロックワイヤ７６が巻取り部７８に巻き取られ、車輪の回転の拘束が解かれて、ワイヤ車輪ロック装置７１が開錠される。
【００４６】
本実施形態では、施錠状態において、バネあるいはスプリングによる応力に抗する爪により施錠が維持され、開錠時にのみ電気的開錠制御信号により作動する電磁スイッチを作動させて開錠し、前記バネあるいはスプリングによる応力で開錠を維持することができる。さらに、巻き取り部に巻き取られるロックワイヤは、その引き出し長さが長短自在となるので、自動二輪車やスクータなどの比較的タイヤ幅が大きい二輪車に適用できる利点がある。
【図面の簡単な説明】
【００４７】
【図１】本発明の第１の実施形態の構成を示す模式図。
【図２】本発明の実施形態の開錠のフロー図。
【図３】第２の実施形態を示す模式図。
【図４】第３の実施形態を示す模式図。
【図５】第４の実施形態を示す模式図。
【符号の説明】
【００４８】
１０・・・ロック開錠鍵システム、
１１、５２、６２・・・ＩＣタグ、
１２、５３、６３・・・信号処理部、
１３、５４、６４・・・制御部、
１４・・・感知表示機（発光ダイオード）、
１５、５８、６８・・・電源部、
２１・・・車輪ロック部（開錠手段）、
２２、７２・・・電磁スイッチ、
２３・・・施錠押し棒、
２４・・・ロックアーム（施錠具）、
２５・・・スプリング、
２６・・・アーム爪、
２７・・・スイッチ爪、
２８ａ・・・開錠信号出力、
２８ｂ・・・感知信号出力、
３０・・・携帯電話、
４０・・・自転車、二輪車、
４１・・・車輪、
４２ａ、４２ｂ・・・スポーク、
４３・・・ハンドルバー、
４３ａ・・・ハンドルステム、
４４・・・ハンドルポスト部、
４５・・・ヘッドラッグ、
４６・・・ホーク、
４７・・・リブ、
４８・・・引き上げボルト、
５１・・・ハンドルポスト組込み開錠制御部、
５５・・・車輪ロック部、
５６、６６・・・発光ダイオード、
５９、７９・・・配線、
６１・・・ボックスユニット、
６５・・・取り付け板体、
７１・・・引き上げボルト、
７３・・・施錠ノブ、
７４・・・ロックアーム、
７４ａ・・・ロック溝、
７５・・・バネ、
７６・・・ロックワイヤ、
７６ａ・・・ロック環部、
７７・・・ロック爪、
７８・・・巻取り部。
【図１】
2006016845.tif 000003
【図２】
2006016845.tif 000004
【図３】
2006016845.tif 000005
【図４】
2006016845.tif 000006
【図５】
2006016845.tif 000007